(57)【要約】【課題】本発明は、ディスプレイの点灯による消費電流に応じて、このディスプレイの無操作時の点灯時間を制限することで、ディスプレイの表示性能を落とさずにディスプレイの消費電力を小さくし、省電力化が図られた電子機器を提供する。【解決手段】ディスプレイの点灯中に無操作状態が所定時間経過したときにディスプレイを消灯する電子機器であって、ディスプレイの無操作時の点灯時間、及び前記ディスプレイの輝度に応じた点灯時間の制限を記憶する記憶手段と、ディスプレイの輝度に基づいて、記憶された点灯時間が、制限の範囲内であるか否かを判断する判断手段（Ｓ２０９）と、制限の範囲内でないと判断された場合、点灯時間を、制限の範囲内に変更して記憶手段に記憶する設定手段（Ｓ２１３）と、ディスプレイの点灯を開始してから、無操作状態が記憶手段に記憶された点灯時間継続したら、ディスプレイを消灯する表示制御手段（Ｓ２２１）と、を備えた。【選択図】  図７
2010028473.tif 000002
【特許請求の範囲】
【請求項１】
ディスプレイの点灯中に無操作状態が所定時間経過したときにディスプレイを消灯する電子機器であって、
前記ディスプレイの無操作時の点灯時間、及び前記ディスプレイの輝度に応じた点灯時間の制限を記憶する記憶手段と、
前記ディスプレイの輝度に基づいて、前記記憶手段により記憶された点灯時間が、前記記憶手段により記憶された制限の範囲内であるか否かを判断する判断手段と、
前記判断手段により制限の範囲内でないと判断された場合、前記点灯時間を、前記記憶手段により記憶された制限の範囲内に変更して前記記憶手段に記憶する設定手段と、
前記ディスプレイの点灯を開始してから、無操作状態が前記記憶手段により記憶された点灯時間継続したら、前記ディスプレイを消灯する表示制御手段と、
を備えたことを特徴とする電子機器。
【請求項２】
前記ディスプレイの無操作時の点灯時間の入力を受け付ける受付手段を備え、
前記判断手段は、前記受付手段により入力が受け付けられた場合、前記表示手段の輝度に基づいて、この入力された点灯時間が、前記記憶手段により記憶された制限の範囲内であるか否かを判断し、
前記設定手段は、前記判断手段により制限の範囲内であると判断された場合、この点灯時間を前記記憶手段に記憶し、前記判断手段により制限の範囲内でないと判断された場合、前記点灯時間を前記記憶手段により記憶された制限の範囲内に変更して前記記憶手段に記憶することを特徴とする請求項１記載の電子機器。
【請求項３】
前記設定手段は、前記判断手段により制限の範囲内でないと判断された場合、前記点灯時間を、前記記憶手段により記憶された制限の上限に変更して前記記憶手段に記憶することを特徴とする請求項１記載の電子機器。
【請求項４】
前記記憶手段により記憶されている点灯時間の制限は、前記ディスプレイの輝度が大きいほど、上限が小さくなることを特徴とする請求項１記載の電子機器。
【請求項５】
前記ディスプレイの輝度を変更する変更手段を備え、
前記設定手段は、前記変更手段により前記ディスプレイの輝度が大きくなるように変更され、かつ、前記判断手段により制限の範囲内でないと判断された場合に、前記点灯時間を前記記憶手段により記憶された制限の上限に変更して設定することを特徴とする請求項４記載の電子機器。
【発明の詳細な説明】
【技術分野】
【０００１】
本発明は、ディスプレイの輝度に基づいて、無操作時のディスプレイの点灯時間を制限する電子機器に関するものである。
【背景技術】
【０００２】
従来、携帯電話機等の電子機器におけるディスプレイの性能が向上して、多くの情報を一度に表示できるようになり、同時に表示画面の高画質化が実現している。しかしながら、このようなディスプレイの高性能化に伴い、ディスプレイの消費電力が大きくなって、ユーザが携帯電話機を頻繁に充電しなければならないという問題が生じていた。
【０００３】
よって、携帯電話機等の電子機器は、省電力を図るために、ディスプレイの表示中に一定時間携帯電話機が操作されなかった場合に、この表示を一旦停止して、ディスプレイを消灯させる機能を備えている。しかしながら、これらの携帯電話機において、実行されている処理ごとに消費電力が異なるのにも関わらず、操作がされなくなってからディスプレイを消灯させるまでの時間が一定値に決められていたため、電力の消費状態を考慮して点灯時間を設定することができなかった。
【０００４】
そこで、表示部にバックライト機能を備えた携帯電話機などの携帯端末装置であり、バックライトのＯＮ／ＯＦＦ制御機能を備えて、動作モードに応じてバックライトの点灯時間を変更することのできる省電力型の携帯電話機が提案されている（特許文献１参照）。この携帯電話機は、予め各種動作モード、キー操作停止後のバックライトの点灯継続時間を動作モードごとに設定し、操作手段よりこれから実行される所望の動作モードを入力すると、所望の動作モードに対応した点灯継続時間を抽出して、キー操作が停止された時点よりバックライトの点灯時間のカウントを開始し、抽出された点灯継続時間になるまで表示手段のバックライトを点灯させるものである。
【特許文献１】特開２００４−２３４９６号公報
【発明の開示】
【発明が解決しようとする課題】
【０００５】
動作モードに応じてディスプレイの点灯継続時間を設定する方法では、携帯電話機がディスプレイの表示をあまり行わないような動作モードのときに、無操作時のディスプレイの点灯時間を短くすること等により、ディスプレイの点灯による電力消費を抑えることができる。しかしながら、ディスプレイの消費電力はそのときに設定されている輝度（消費電流）にも大きく依存しているため、ディスプレイの消費電流に応じて、無操作時のディスプレイの点灯時間を変更できることが望ましい。
【０００６】
本発明は、上記課題を鑑みてなされてものであり、ディスプレイの点灯による消費電流に応じて、このディスプレイの無操作時の点灯時間を制限することで、ディスプレイの表示性能を落とさずにディスプレイの消費電力を小さくし、省電力化が図られた電子機器を提供することを目的とする。
【課題を解決するための手段】
【０００７】
上記課題を解決するために、本発明に係る電子機器は、ディスプレイの点灯中に無操作状態が所定時間経過したときにディスプレイを消灯する電子機器であって、前記ディスプレイの無操作時の点灯時間、及び前記ディスプレイの輝度に応じた点灯時間の制限を記憶する記憶手段と、前記ディスプレイの輝度に基づいて、前記記憶手段により記憶された点灯時間が、前記記憶手段により記憶された制限の範囲内であるか否かを判断する判断手段と、前記判断手段により制限の範囲内でないと判断された場合、前記点灯時間を、前記記憶手段により記憶された制限の範囲内に変更して前記記憶手段に記憶する設定手段と、前記ディスプレイの点灯を開始してから、無操作状態が前記記憶手段により記憶された点灯時間継続したら、前記ディスプレイを消灯する表示制御手段と、を備えたことを特徴とする。
【発明の効果】
【０００８】
本発明に係る電子機器によると、ディスプレイの点灯による消費電流に応じて、このディスプレイの無操作時の点灯時間を制限することで、ディスプレイの表示性能を落とさずにディスプレイの消費電力を小さくし、省電力化を図ることが可能となる。
【発明を実施するための最良の形態】
【０００９】
本発明に係る電子機器の実施形態について、添付図面を参照しながら説明する。本発明に係る電子機器として、複数の筐体が開閉自在に結合されてなるクラムシェル型の携帯電話機１を例に挙げて説明する。図１（Ａ）は、携帯電話機１の開いた状態を示す正面図、図１（Ｂ）は、本発明に係る携帯電話機１の開いた状態を示す側面図、図２（Ａ）は、携帯電話機１の閉じた状態を示す正面図、図２（Ｂ）は、携帯電話機１の閉じた状態を示す側面図である。
【００１０】
携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１及び図２のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１１】
上筐体１０の内面（下筐体１１に対面する側の面）には、文字や画像等を含んだ表示情報を表示するためのディスプレイ１３が設けられている。ディスプレイ１３は、例えば液晶パネルで形成された液晶ディスプレイ、または有機ＥＬ（Ｅｌｅｃｔｒｏ−Ｌｕｍｉｎｅｓｃｅｎｃｅ）パネルで形成された有機ＥＬディスプレイである。液晶パネルは、液晶に電圧を加えることにより液晶分子の向き（配向）を変化させ、この配向変化を利用して光のシャッターを実現して、バックライト等の光源から発せられた光を遮ったり透過させたりすることにより所定のデータを表示する表示パネルである。また、有機ＥＬパネルは、有機化合物中に注入された電子と正孔の再結合によって生じた励起子（エキシトン）によって発光する現象を利用してデータを表示する表示パネルである。
【００１２】
また、上筐体１０の内面には、音声を出力するスピーカ１４、周囲の照度を測定する照度センサ１５が設けられている。これらのディスプレイ１３、スピーカ１４、照度センサ１５は、携帯電話機１が閉じた状態のときには、下筐体１１により覆われていて外部に露出していないが、上筐体１０を下筐体１１に対して回転させて開いた状態に変形させたときには外部に露出される。
【００１３】
下筐体１１の内面（上筐体１０に対面する側の面）には、例えば、電源のＯＮ／ＯＦＦを切り替えるための電源キーや発呼処理を行うための発呼キー、数字や文字を入力するためのテンキー、メール機能や、Ｗｅｂ閲覧機能等を起動するためのショートカットキー等からなる操作キー１６が設けられている。また下筐体１１の内面には、音声を集音するためのマイクロフォン１７が設けられている。これらの操作キー１６及びマイクロフォン１７は、携帯電話機１が閉じた状態のときには、上筐体１０により覆われていて外部に露出していないが、上筐体１０を下筐体１１に対して回転させて開いた状態に変形させたときには外部に露出される。
【００１４】
次に、携帯電話機１の機能について、図３に示すブロック図を用いて説明する。携帯電話機１は、図３に示すように、主制御部２０、電源回路部２１、操作入力制御部２２、表示制御部２３、音声制御部２４、通信制御部２５、記憶部２６、及び照度検出部２７が、バスによって相互に通信可能に接続されて構成されている。
【００１５】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する表示制御処理、その他の様々な演算処理や制御処理等を行う。電源回路部２１は、充電可能な電源供給源（バッテリ等）を備え、操作キー１６を介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１６】
操作入力制御部２２は操作キー１６に対する入力インタフェースを備え、操作キー１６のいずれかが押されたことを検知すると、押された操作キー１６を示す信号を生成して主制御部２０に伝送する。
【００１７】
表示制御部２３はディスプレイ１３に対する表示インタフェースを備え、主制御部２０の制御に基づいて、ディスプレイ１３を点灯させたり消灯させたりする。表示制御部２３は、ディスプレイ１３を点灯させる際に、記憶部２６に記憶された文書データや画像データ、通信制御部２５を介して受信された文書データや画像データ、またはカメラで撮像中の画像データ、視聴中のテレビ放送等をディスプレイ１３に表示する。なお、ディスプレイ１３が有機ＥＬディスプレイであった場合には、表示制御部２３はディスプレイ１３の輝度を制御し、ディスプレイ１３が液晶ディスプレイであった場合には、表示制御部２３はディスプレイ１３のバックライトの輝度を制御する。
【００１８】
音声制御部２４は、主制御部２０の制御に基づいて、マイクロフォン１７で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００１９】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１７で集音された音声データや操作キー１６を介して入力されたデータや記憶部２６に記憶されたデータを取得すると、これらのデータに対してスペクトラム拡散処理を行い、基地局に対してアンテナ２５ａを介して送信する。
【００２０】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する表示制御処理を行う際の処理プログラムは、例えばＲＯＭに記憶されているものとする。
【００２１】
照度検出部２７は、主制御部２０の制御に基づいて、照度センサ１５により検出された照度を取得し、この照度検出値を示す信号を生成して、主制御部２０に送信する。
【００２２】
携帯電話機１は、ディスプレイ１３が点灯状態にあるときに、無操作状態が一定時間継続したことに基づいて、ディスプレイ１３を消灯状態に移行させることで、ディスプレイ１３の点灯による電力消費を軽減させ、省電力を図っている。一般に、有機ＥＬパネルでは、パネルに流す電流を増減させることにより輝度を調整する。同様に、透過型や半透過型の液晶パネルでは、白色ＬＥＤ等の電流を増減させることによりバックライトの輝度を調整する。このため、ディスプレイ１３の輝度を高く設定した場合と低く設定した場合とでは、表示の際の電力の消費量が異なり、輝度が高ければ高いほど電力を多く消費し、携帯電話機１の電池持ちが悪くなる。
【００２３】
そこで携帯電話機１は、有機ＥＬパネルの輝度設定や、液晶パネルのバックライトの輝度設定に応じて、点灯時間の上限を設定することで、ディスプレイ１３の点灯による電力消費を少なく抑えている。すなわち携帯電話機１は、ディスプレイ１３の輝度設定において、高い輝度（電流を多く消費する輝度）に設定されているときには点灯時間上限を低く設定し、低い輝度（消費電流の少ない輝度）に設定されているときには点灯時間上限を高く設定できるように構成されている。
【００２４】
携帯電話機１の記憶部２６は、輝度に応じた点灯時間の制限を示す制限情報３０を記憶している。制限情報３０は、輝度を示す輝度設定情報３１に対して、点灯時間の上限や下限を示す点灯時間制限情報３２がそれぞれ対応付けられた情報である。携帯電話機１において、この制限情報３０に基づいてディスプレイ１３の点灯時間が設定される。
【００２５】
例えば図４に示す制限情報３０では、最も輝度の高い「明るさ４」の輝度設定情報３１に対して、「５秒乃至１５秒で任意設定可能」の点灯時間制限情報３２が対応付けられている。これは、ディスプレイ１３の輝度が明るさ４に設定されているときには、点灯時間を５秒乃至１５秒の範囲内で設定できることを意味する。同様に、次に輝度の高い「明るさ３」の輝度設定情報３１に対して、「５秒乃至３０秒で任意設定可能」の点灯時間制限情報３２が、その次に輝度の高い「明るさ２」の輝度設定情報３１に対して、「５秒乃至６０秒で任意設定可能」の点灯時間制限情報３２が、最も輝度の低い「明るさ１」の輝度設定情報３１に対して、「５秒乃至９０秒で任意設定可能」の点灯時間制限情報３２が、それぞれ対応付けられている。また、ディスプレイ１３の輝度が例えば周囲の照度に合わせて自動に設定される「自動」の輝度設定情報３１に対して、「５秒乃至２０秒で任意設定可能」の点灯時間制限情報３２が対応付けられている。
【００２６】
携帯電話機１が、この制限情報３０を用いてディスプレイ１３の輝度や点灯時間を設定する設定処理を行う手順について、図５に示すフローチャート、図６に示す画面遷移図に基づいて説明する。以下、例えば「ステップＳ１０１」を「Ｓ１０１」のように、「ステップ」の語句を省略して説明する。
【００２７】
まず主制御部２０は、ディスプレイ１３の輝度の設定が指示されたか否かを判断する（Ｓ１０１）。この際、主制御部２０は、例えばユーザにより所定の操作キー１６が押されたことに基づいて、輝度の設定が指示されたものと判断する。
【００２８】
輝度の設定が指示された場合（Ｓ１０１のＹｅｓ）は、主制御部２０は、ディスプレイ１３の表示画面４０に輝度設定画面４１を表示する（Ｓ１０３）。輝度設定画面４１は、例えば図６（Ａ）に示すように、ディスプレイ１３の輝度の選択肢（「自動」、「明るさ４」、「明るさ３」等）が複数表示された画面である。ユーザは、操作キー１６を介した入力により、選択肢の中から輝度を選択する。
【００２９】
主制御部２０は、ディスプレイ１３の輝度が入力されたか否かを判断する（Ｓ１０５）。この際、主制御部２０は、例えば操作キー１６を介して輝度の選択肢が選択されたことに基づいて、輝度が入力されたものと判断する。輝度が入力されていない場合（Ｓ１０５のＮｏ）は、主制御部２０は輝度が入力されるまで待機する。輝度が入力された場合（Ｓ１０１のＹｅｓ）は、主制御部２０は、入力（選択）された輝度をディスプレイ１３の輝度として設定する（Ｓ１０７）。ここでは、例えば図６（Ａ）に示すように、ステップＳ１０５にて「明るさ３」の輝度が入力されて、ステップＳ１０７にてこの「明るさ３」の輝度が設定されたものとする。
【００３０】
ステップＳ１０７にてディスプレイ１３の輝度を設定した後、あるいは輝度の設定が指示されていない場合（Ｓ１０１のＮｏ）は、主制御部２０は、点灯時間の設定が指示されたか否かを判断する（Ｓ１０９）。この際、主制御部２０は、例えば所定の操作キー１６が押されたことに基づいて、点灯時間の設定が指示されたものと判断する。
【００３１】
点灯時間の設定が指示された場合（Ｓ１０９のＹｅｓ）は、主制御部２０は、ディスプレイ１３の表示画面４０に点灯時間設定画面４２を表示する（Ｓ１１１）。点灯時間設定画面４２は、例えば図６（Ｂ）に示すように、点灯時間を入力するための点灯時間入力欄４３を備えている。ユーザは、操作キー１６を介して、この点灯時間入力欄４３に所望の点灯時間を入力する。
【００３２】
主制御部２０は、点灯時間が入力されたか否かを判断する（Ｓ１１３）。点灯時間が入力されていない場合（Ｓ１１３のＮｏ）は、主制御部２０は点灯時間が入力されるまで待機する。点灯時間が入力された場合（Ｓ１１３のＹｅｓ）は、主制御部２０は、点灯時間制限を取得する（Ｓ１１５）。この際、主制御部２０は、ステップＳ１０７にてディスプレイ１３の輝度が設定された場合にはこの設定されたディスプレイ１３の輝度を、ステップＳ１０７にてディスプレイ１３の輝度が設定されていない場合には予め設定されているディスプレイ１３の輝度を取得し、制限情報３０において、このディスプレイ１３の輝度に対応付けられた点灯時間制限情報３２を取得する。
【００３３】
例えばステップＳ１０７にて「明るさ３」の輝度が設定された場合には、ステップＳ１１５にて、制限情報３０において「明るさ３」の輝度設定情報３１に対応付けられた「５秒乃至３０秒で任意設定可能」の点灯時間制限情報３２が取得される。
【００３４】
主制御部２０は、ステップＳ１１５にて入力された点灯時間が、制限情報３０における点灯時間制限を満たしているか否かを判断する（Ｓ１１７）。この際、主制御部２０は、ステップＳ１１５にて入力された点灯時間が、ステップＳ１１５にて取得した点灯時間制限情報３２の範囲内であった場合に、点灯時間制限を満たしているものと判断する。
【００３５】
入力された点灯時間が点灯時間制限を満たしていない場合（Ｓ１１７のＮｏ）は、主制御部２０は、ユーザに対して点灯時間を再入力するように促す（Ｓ１１９）。例えば図６（Ｂ）に示すように、点灯時間として「５０秒」が入力された場合には、ステップＳ１１５にて取得された「５秒乃至３０秒で任意設定可能」の点灯時間制限情報３２を満たしていないため、主制御部２０はユーザに対して点灯時間の再入力を促す。この際、主制御部２０は、ディスプレイ１３の表示画面４０に、例えば図６（Ｃ）に示すようなエラー表示欄４４を表示することにより、ユーザに対して点灯時間を再入力するように促す。エラー表示欄４４には、ステップＳ１１５にて取得した点灯時間制限情報３２に基づいて、例えば「５秒乃至３０秒の範囲内で設定してください」等の文章が表示される。そして、ステップＳ１１５に戻って、主制御部２０は、再び点灯時間が入力されたか否かを判断する。
【００３６】
入力された点灯時間が点灯時間制限を満たしていた場合（Ｓ１１７のＹｅｓ）は、主制御部２０は、ステップＳ１１５にて入力された点灯時間を、ディスプレイ１３の点灯時間として設定する（Ｓ１２１）。例えば図６（Ｄ）に示すように、点灯時間として「２５秒」が入力された場合には、ステップＳ１１５にて取得された「５秒乃至３０秒で任意設定可能」の点灯時間制限情報３２を満たしているため、主制御部２０はこの点灯時間をディスプレイ１３の点灯時間として設定する。
【００３７】
ステップＳ１２１にてディスプレイ１３の点灯時間を設定した後、あるいは点灯時間の設定が指示されていない場合（Ｓ１０９のＮｏ）は、主制御部２０は、ステップＳ１０１に戻って、再びディスプレイ１３の輝度の設定が指示されたか否かを判断する。主制御部２０は、ステップＳ１０１乃至Ｓ１２１の処理を繰り返すことで、ユーザの指示に基づいて、ディスプレイ１３の輝度や点灯時間を設定する。
【００３８】
このようにして携帯電話機１は、ディスプレイ１３の輝度に応じて点灯時間を制限していて、ユーザがディスプレイ１３の点灯時間を設定するときに、既に設定されているディスプレイ１３の輝度に基づいて、制限された範囲内で設定する。
【００３９】
次に、携帯電話機１がステップＳ１０１乃至Ｓ１２１にて設定された輝度や点灯時間に基づいて、ディスプレイ１３の表示を制御する表示制御処理を行う手順について、図７に示すフローチャートに基づいて説明する。なお、ディスプレイ１３の輝度が「明るさ３」に設定されているものとする。
【００４０】
まず主制御部２０は、ディスプレイ１３の表示が指示されたか否かを判断する（Ｓ２０１）。この際、主制御部２０は、例えばユーザにより操作キー１６が押されたことや、実行中の処理が完了したこと等に基づいて、ディスプレイ１３の表示が指示されたものと判断する。ディスプレイ１３の表示が指示されていない場合（Ｓ２０１のＮｏ）は、主制御部２０はそのまま待機する。
【００４１】
ディスプレイ１３の表示が指示された場合（Ｓ２０１のＹｅｓ）は、主制御部２０は、ステップＳ１０７にて設定されたディスプレイ１３の輝度を取得する（Ｓ２０３）。主制御部２０は、ステップＳ２０３にて取得されたディスプレイ１３の輝度に基づいて、制限情報３０から点灯時間制限情報３２を取得する（Ｓ２０５）。例えばステップＳ２０３にて「明るさ３」の輝度が取得された場合には、ステップＳ２０５にて、制限情報３０において、「明るさ３」の輝度設定情報３１に対応付けられている「５秒乃至３０秒で任意設定可能」の点灯時間制限情報３２が取得される。
【００４２】
主制御部２０は、ステップＳ１２１にて設定されたディスプレイ１３の点灯時間を取得する（Ｓ２０７）。そして主制御部２０は、ステップＳ２０７にて取得したディスプレイ１３の点灯時間が点灯時間制限を満たしているか否かを判断する（Ｓ２０９）。
【００４３】
ディスプレイ１３の点灯時間が点灯時間制限を満たしている場合（Ｓ２０９のＹｅｓ）、例えば、ステップＳ２０５にて「５秒乃至３０秒で任意設定可能」の点灯時間制限情報３２が取得されて、ステップＳ２０７にて「２５秒」の点灯時間が取得された場合等には、主制御部２０は、ステップＳ２０１の指示に基づいてディスプレイ１３の表示を行う（Ｓ２１１）。
【００４４】
ディスプレイ１３の点灯時間が点灯時間制限を満たしていない場合（Ｓ２０９のＮｏ）、例えば、ステップＳ１０７にて「明るさ３」の輝度が設定されて、ステップＳ１２１にて「２５秒」の点灯時間が設定されたが、その後、ディスプレイ１３の輝度が「明るさ４」に変更されたために、点灯時間制限を満たさなくなってしまった場合等には、主制御部２０は、ディスプレイ１３の点灯時間を変更する（Ｓ２１３）。この際、例えばディスプレイ１３の輝度が「明るさ４」に設定されていた場合には、主制御部２０は、ディスプレイ１３の点灯時間を、制限情報３０において「明るさ４」の輝度設定情報３１に対応付けられている「５秒乃至１５秒で任意設定可能」の点灯時間制限情報３２に基づいて、点灯時間の上限である「１５」秒に設定すると良い。そして主制御部２０は、ステップＳ２０１の指示に基づいてディスプレイ１３の表示を行う（Ｓ２１５）。
【００４５】
主制御部２０は、ステップＳ２１１またはＳ２１５にてディスプレイ１３の表示を行ってから、ステップＳ２０７にて取得された点灯時間、またはステップＳ２１３にて変更された点灯時間が経過したか否かを判断する（Ｓ２１７）。点灯時間が経過していない場合（Ｓ２１７のＮｏ）は、主制御部２０は、携帯電話機１が操作されたか否かを判断する（Ｓ２１９）。この際、例えばユーザにより操作キー１６が押されたことや、実行中の処理が完了したこと等に基づいて、携帯電話機１が操作されたものと判断する。
【００４６】
携帯電話機１が操作されていない場合（Ｓ２１９のＮｏ）は、ステップＳ２１７に戻って、主制御部２０は、再び、ディスプレイ１３の表示を行ってから点灯時間が経過したか否かを判断する。また、携帯電話機１が操作された場合（Ｓ２１９のＹｅｓ）は、ステップＳ２０３に戻って、主制御部２０は、再びステップＳ２０３乃至Ｓ２２１の処理を行う。
【００４７】
点灯時間が経過した場合（Ｓ２１７のＹｅｓ）は、主制御部２０は、ディスプレイ１３を消灯する（Ｓ２２１）。そして、ステップＳ２０１に戻って、主制御部２０は、再びステップＳ２０１乃至Ｓ２２１の処理を行う。
【００４８】
このようにして携帯電話機１は、ディスプレイ１３における表示を開始する際に、ディスプレイ１３の輝度に応じて、点灯時間が制限された範囲内であった場合には、その点灯時間に基づいてディスプレイ１３を消灯し、点灯時間が制限された範囲内でなかった場合には、点灯時間を制限された範囲内になるように変更して、この変更された点灯時間に基づいてディスプレイ１３を消灯する。
【００４９】
ここで、図８に、携帯電話機１がディスプレイ１３に表示を行う際の消費電力をディスプレイ１３の輝度ごとに示した消費電力の表５０を示す。図８に示すように、消費電力の表５０において、ディスプレイ１３に設定された輝度を示す輝度設定情報５１、ディスプレイ１３の点灯時間の制限を示す点灯時間制限情報５２、表示処理による消費電力を示す消費電力情報５３がそれぞれ対応付けられている。
【００５０】
例えば図８によると、「明るさ４」の輝度設定情報５１に対して、「１００（ｍＡ）」の消費電力情報５３が、「明るさ３」の輝度設定情報５１に対して、「６０（ｍＡ）」の消費電力情報５３が、「明るさ２」の輝度設定情報５１に対して、「３０（ｍＡ）」の消費電力情報５３が、「明るさ１」の輝度設定情報５１に対して、「１０（ｍＡ）」の消費電力情報５３が、それぞれ対応付けられている。
【００５１】
ディスプレイ１３の輝度を明るさ４に、ディスプレイ１３の点灯時間を従来のように６０秒に設定した場合の消費電流量は、
点灯時間×消費電流＝６０秒×１００ｍＡ＝６０００〔ｍＡ・秒〕
であるが、ディスプレイ１３の輝度が「明るさ４」に設定されている場合には、点灯時間の上限を１５秒に制限することにより、
点灯時間×消費電流＝１５秒×１００ｍＡ＝１５００〔ｍＡ・秒〕
となり、表示がなされた後、無操作である場合の消費電力を従来の場合の４分の１に節約することが可能である。
【００５２】
なお、携帯電話機１において、照度センサ１５を用いて周囲の照度を測定し、この測定値に基づいてディスプレイ１３の輝度を変更している場合であっても、ステップＳ２０１乃至Ｓ２２１の処理を適用して、ディスプレイ１３の消費電流に応じて点灯時間を変更することで、省電力を図ることが可能となる。
【００５３】
本発明に係る電子機器（携帯電話機１）によると、ディスプレイ１３の点灯による消費電流に応じて、このディスプレイ１３の無操作時の点灯時間を制限することで、ディスプレイ１３の表示性能を落とさずにディスプレイ１３の消費電力を小さくし、省電力化を図ることが可能となる。
【００５４】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、小型テレビ機器、デジタルカメラ、ビデオカメラ、携帯オーディオ機器、携帯ビデオ機器等、ディスプレイへの表示を行う電子機器であれば、任意の電子機器であって良い。
【図面の簡単な説明】
【００５５】
【図１】（Ａ）は、本発明に係る電子機器（携帯電話機）の開いた状態を示す正面図、（Ｂ）は、本発明に係る携帯電話機の開いた状態を示す側面図。
【図２】（Ａ）は、本発明に係る電子機器（携帯電話機）の閉じた状態を示す正面図、（Ｂ）は、本発明に係る電子機器（携帯電話機）の閉じた状態を示す側面図。
【図３】本発明に係る電子機器（携帯電話機）のブロック図。
【図４】制限情報のデータ構成図。
【図５】本発明に係る電子機器（携帯電話機）が設定処理を行う際の手順を示すフローチャート。
【図６】本発明に係る電子機器（携帯電話機）が設定処理を行う際の画面遷移図。
【図７】本発明に係る電子機器（携帯電話機）が表示制御処理を行う際の手順を示すフローチャート。
【図８】本発明に係る電子機器（携帯電話機）が表示処理を行う際の消費電力をディスプレイの輝度ごとに示した表。
【符号の説明】
【００５６】
１…携帯電話機，１０…上筐体，１１…下筐体，１２…ヒンジ部，１３…ディスプレイ，１４…スピーカ，１５…照度センサ，１６…操作キー，１７…マイクロフォン，２０…主制御部，２１…電源回路部，２２…操作入力制御部，２３…表示制御部，２４…音声制御部，２５…通信制御部，２５ａ…アンテナ，２６…記憶部，２７…照度検出部，３０…制限情報，３１…輝度設定情報，３２…点灯時間制限情報，４０…表示画面，４１…輝度設定画面，４２…点灯時間設定画面，４３…点灯時間入力欄，４４…エラー表示欄，５０…消費電力の表，５１…輝度設定情報，５２…点灯時間制限情報，５３…消費電力情報。
【図１】
2010028473.tif 000003
【図２】
2010028473.tif 000004
【図３】
2010028473.tif 000005
【図４】
2010028473.tif 000006
【図５】
2010028473.tif 000007
【図６】
2010028473.tif 000008
【図７】
2010028473.tif 000009
【図８】
2010028473.tif 000010